(57)【要約】【課題】撮像素子及びフラッシュコンデンサを内蔵するレンズユニットと、電源を内蔵する本体ユニットとの接続部を小型化するとともに、撮像素子への電源供給を安定させることができるデジタルカメラを提供する。【解決手段】バッテリ６４及び電源制御部６５を本体ユニット１１に設け、昇圧回路３３及びフラッシュコンデンサ３５を含むフラッシュ装置３０をレンズユニット１２に設ける。第１電源ライン７１は、フラッシュ装置３０の昇圧回路３３を除いた、イメージセンサ１５を含むレンズユニット１２の各部と電源制御部６５とを電気的に接続し、第２電源ライン７２は、昇圧回路３３を介してフラッシュコンデンサ３５と電源制御部６５とを電気的に接続する。【選択図】図４
2007324815.tif 000002
【特許請求の範囲】
【請求項１】
撮影レンズ及び撮像素子を内蔵するレンズユニットと、前記レンズユニットを着脱自在とし、装着された前記レンズユニットを通信手段を介して制御する本体ユニットとからなるデジタルカメラにおいて、
前記レンズユニットに設けられ、被写体に光を照射するフラッシュ発光部と、
前記フラッシュ発光部の発光に供される電力を蓄えるフラッシュコンデンサと、
前記本体ユニットに設けられ、前記撮像素子及び前記フラッシュコンデンサに電力を供給する電源と、
前記レンズユニットと前記本体ユニットとに設けられ、前記撮像素子と前記電源とを電気的に接続する第１電源ラインと、
前記フラッシュコンデンサと前記電源とを電気的に接続する第２電源ラインとを備えたことを特徴とするデジタルカメラ。
【請求項２】
前記レンズユニットに、前記フラッシュコンデンサに印加する電圧を昇圧する昇圧回路を設け、前記第２電源ラインは、前記フラッシュコンデンサに印加する電圧に比して低い電圧を前記昇圧回路に供給することを特徴とする請求項１記載のデジタルカメラ。
【請求項３】
前記本体ユニットに、前記フラッシュコンデンサに印加される電圧を昇圧する昇圧回路を設け、前記第２電源ラインは、前記昇圧回路によって昇圧された電圧を前記フラッシュコンデンサに供給することを特徴とする請求項１記載のデジタルカメラ。
【請求項４】
前記第１電源ライン及び前記第２電源ラインは、前記本体ユニットに設けられた本体側第１電源ライン及び本体側第２電源ライン、並びに、前記レンズユニットに設けられたレンズ側第１電源ライン及びレンズ側第２電源ラインからなり、前記レンズユニットと前記本体ユニットとのそれぞれに、対応する各電源ライン同士を接続する複数個の接点が設けられていることを特徴とする請求項１〜３のいずれか１つに記載のデジタルカメラ。
【発明の詳細な説明】
【技術分野】
【０００１】
本発明は、撮影レンズ及び撮像素子を内蔵するレンズユニットと、このレンズユニットを着脱自在とする本体ユニットとで構成されるデジタルカメラに関するものである。
【背景技術】
【０００２】
近年、撮影レンズによって結像された被写体像をＣＣＤ等の撮像素子を用いてデジタルの画像データに変換し、その画像データを内蔵メモリやメモリカードなどに記憶するデジタルカメラが普及している。デジタルカメラの中には、レンズユニットを本体ユニットから着脱自在とし、各種レンズユニットを交換して好みに応じた撮影を行うことができるレンズ交換式のものがある。また、レンズ交換式のレンズユニットに撮像素子を、本体ユニットに電源をそれぞれ内蔵させ、レンズユニットから送信される画像データを本体ユニットが受信するようにしたデジタルカメラも考案されている。
【０００３】
フラッシュコンデンサに蓄えた電力を消費して被写体に光を照射するフラッシュ発光部を、レンズ交換式の本体ユニットに設けた場合、レンズユニットの形状によっては本体ユニットにレンズユニットを装着したときにフラッシュ光の一部が遮られてしまったり、異なるレンズユニットのそれぞれに対応する光量とするためにフラッシュ発光部が大型化してしまうなど、装着するレンズユニットの全てに対応したフラッシュ発光部とすることは困難であった。そこで、補助光発光部を内蔵したレンズユニット（特許文献１参照）や、フラッシュ発光部を内蔵したレンズユニット（特許文献２参照）が提案されている。また、フラッシュ発光部の発光位置を撮影光学系と離間させて最適な発光を可能としたレンズユニット（特許文献３参照）なども提案されている。
【特許文献１】実開平２−３３０３８号公報
【特許文献２】実開平５−１１１１６号公報
【特許文献３】特開平１１−２８１８６８号公報
【発明の開示】
【発明が解決しようとする課題】
【０００４】
しかしながら、上記のようなレンズユニットに撮像素子及びフラッシュ発光部を内蔵させ、本体ユニットに電源を内蔵させたデジタルカメラにおいて、フラッシュコンデンサを本体ユニットに内蔵させたときには、フラッシュ発光部の発光時に本体ユニットとレンズユニットとの間で大きな電流が流れるので、安全及び発光性能を確保するために、本体ユニットとレンズユニットとの接触構造が大型化してしまう。また、フラッシュコンデンサをレンズユニットに内蔵させたときには、充電時のフラッシュコンデンサに大きな電力を供給するので、撮像素子及びフラッシュ装置と電源とを電気的に接続する電源ラインを共有とすると、撮像素子への電源供給が不安定となってしまうという問題があった。
【０００５】
本発明は、上記問題を鑑みてなされたものであり、撮像素子及びフラッシュコンデンサを内蔵するレンズユニットと、電源を内蔵する本体ユニットとの接続部を小型化するとともに、撮像素子への電源供給を安定させることができるデジタルカメラを提供することを目的とする。
【課題を解決するための手段】
【０００６】
本発明のデジタルカメラは、撮影レンズ及び撮像素子を内蔵するレンズユニットと、前記レンズユニットを着脱自在とし、装着された前記レンズユニットを通信手段を介して制御する本体ユニットとからなるものであって、前記レンズユニットに設けられ、被写体に光を照射するフラッシュ発光部と、前記フラッシュ発光部の発光に供される電力を蓄えるフラッシュコンデンサと、前記本体ユニットに設けられ、前記撮像素子及び前記フラッシュコンデンサに電力を供給する電源と、前記レンズユニットと前記本体ユニットとに設けられ、前記撮像素子と前記電源とを電気的に接続する第１電源ラインと、前記フラッシュコンデンサと前記電源とを電気的に接続する第２電源ラインとを備えたことを特徴とするものである。
【０００７】
また、前記レンズユニットに、前記フラッシュコンデンサに印加する電圧を昇圧する昇圧回路を設け、前記第２電源ラインは、前記フラッシュコンデンサに印加する電圧に比して低い電圧を前記昇圧回路に供給することを特徴とすることが好適である。
【０００８】
また、前記本体ユニットに、前記フラッシュコンデンサに印加される電圧を昇圧する昇圧回路を設け、前記第２電源ラインは、前記昇圧回路によって昇圧された電圧を前記フラッシュコンデンサに供給することが好適である。
【０００９】
また、前記第１電源ライン及び前記第２電源ラインは、前記本体ユニットに設けられた本体側第１電源ライン及び本体側第２電源ライン、並びに、前記レンズユニットに設けられたレンズ側第１電源ライン及びレンズ側第２電源ラインからなり、前記レンズユニットと前記本体ユニットとのそれぞれに、対応する各電源ライン同士を接続する複数個の接点が設けられていることが好適である。
【発明の効果】
【００１０】
本発明のデジタルカメラによれば、レンズユニットに設けた撮像素子と本体ユニットに設けた電源とを電気的に接続する第１電源ラインと、レンズユニットに設けたフラッシュコンデンサと本体ユニットに設けた電源とを電気的に接続する第２電源ラインとを設けたことによって、撮像素子及びフラッシュコンデンサを内蔵するレンズユニットと、電源を内蔵する本体ユニットとの接続部を小型化するとともに、撮像素子への電源供給を安定させることができる。
【００１１】
また、レンズユニットに、フラッシュコンデンサに印加する電圧を昇圧する昇圧回路を設け、第２電源ラインは、フラッシュコンデンサに印加する電圧に比して低い電圧を昇圧回路に供給することで、本体ユニットからレンズユニットへ供給する電圧を、例えば１２Ｖといった、安全なものとすることができる。
【００１２】
また、本体ユニットに、フラッシュコンデンサに印加される電圧を昇圧する昇圧回路を設け、第２電源ラインは、昇圧回路によって引き上げられた電圧をフラッシュコンデンサに供給することで、レンズユニットに昇圧回路を設けずに、レンズユニットを小型軽量化することができる。
【００１３】
また、第１電源ライン及び第２電源ラインは、本体ユニットに設けられた本体側第１電源ライン及び本体側第２電源ライン、並びに、レンズユニットに設けられたレンズ側第１電源ライン及びレンズ側第２電源ラインからなり、レンズユニットと本体ユニットとのそれぞれに、対応する各電源ライン同士を接続する複数個の接点を設けることによって、レンズユニットを本体ユニットに装着するだけで、簡易に、撮像素子及びフラッシュコンデンサと電源とが電気的に接続される。
【発明を実施するための最良の形態】
【００１４】
図１に示すように、デジタルカメラ１０は、本体ユニット１１とレンズユニット１２とを組み合わせることで構成される。レンズユニット１２は、筒状の筐体１３に内蔵された撮影レンズ１４とこの撮影レンズ１４によって結像する被写体像を光電変換するイメージセンサ（撮像素子）１５とを有している。イメージセンサ１５としては、ＣＣＤイメージセンサを用いているが、ＭＯＳ型等であってもよい。
【００１５】
レンズユニット１２は、本体ユニット１１に着脱自在とされており、装着時には本体ユニット１１とレンズユニット１２とは電気的に接続される。本体ユニット１１は、装着されたレンズユニット１２との間で種々の信号を授受することにより、イメージセンサ１５等を駆動し、イメージセンサ１５で被写体を撮影して得られる画像データを取得する。また、レンズユニット１２としては、例えば、撮影レンズ１４の焦点距離が異なるもの、イメージセンサ１５の画素数が異なるもの、赤外線撮影が可能なものなど、複数種類のものを用意し、撮影意図・撮影シーンに応じたレンズユニット１２を任意に選択して本体ユニット１１に装着して撮影を行うことができる。
【００１６】
レンズユニット１２の後面に設けられたレンズ側マウント部１６には、バヨネット爪１７が３個形成されている。本体ユニット１１の前面に設けられた本体側マウント部１８には、バヨネット爪１７のそれぞれと対応する位置にバヨネット溝１９が形成されている。レンズユニット１２を本体ユニット１１に装着する際には、バヨネット爪１７をバヨネット溝１９に合わせた状態で押し込んでから回転させる。
【００１７】
本体側マウント部１８には、前方に突出したロック位置と、本体ユニット１１内に移動した解除位置との間で移動自在なロックピン２０が設けられており、レンズユニット１２を本体ユニット１１に装着する際に、レンズ側マウント部１６のピン孔２１（図２参照）と係合すると、レンズユニット１２の回転がロックされる。また、本体ユニット１１には、ロックピン２０と連動するロック解除ボタン２２が設けられている。ロック解除ボタン２２は、レンズユニット１２を取り外す際に操作されるものであり、押圧されるとロックピン２０が解除位置に移動してロックが解除され、レンズユニット１２の回転が許容される。なお、本体側マウント部１８には、前方向にバネ付勢されたマウント蓋２３が設けられており、レンズユニット１２を非装着時に本体ユニット１１内部に塵埃が侵入しないようにされている。
【００１８】
本体ユニット１１の上面には、撮影時に押圧操作されるレリーズボタン２５と、撮影／再生モードの切替え時に操作されるモード操作部２６とが設けられている。モード操作部２６を操作することにより、静止画撮影を行う撮影モードと、撮影済みの画像を再生表示する再生モードとの切り替えを行うことができる。本体ユニット１１の後面には、撮影した画像やスルー画像、メニュー画面等が表示されるＬＣＤ２７、電源スイッチ２８及びズーム操作部２９とが設けられている（図４参照）。装着されているレンズユニット１２がズームタイプである場合に、ズーム操作部２９を操作することによって撮影レンズ１４を広角側，望遠側にズーミングすることができる。
【００１９】
レンズユニット１２には、フラッシュ装置３０が内蔵されている。フラッシュ装置３０は、発光部３１、発光制御部３２（図４参照）及び昇圧回路３３から構成されている。発光部３１は、キセノン菅３４（図４参照）を発光させることによって撮影時に被写体に閃光を照射するもので、レンズユニット１２の先端部の前面で、かつ撮影レンズ１４の上方となる位置に設けられている。発光制御部３２には、キセノン菅３４の発光に供される電力を蓄えるフラッシュコンデンサ３５が設けられており、キセノン菅３４を発光させる際には、事前に昇圧回路３３からフラッシュコンデンサ３５に３００Ｖの電圧が印加されることによって電力が蓄えられる。
【００２０】
バヨネット爪１７の後面には、図２に示すように、通信用接点４０、フラッシュ装置用電源接点４１、撮像回路用電源接点４２及びグランド接点４３，４４が設けられている。通信用接点４０、フラッシュ装置用電源接点４１及び撮像回路用電源接点４２は、ぞれぞれ別個のバヨネット爪１７に設けられており、グランド接点４３はフラッシュ装置用電源接点４１と、グランド接点４４は撮像回路用電源接点４２と、それぞれ対となるように設けられている。なお、図２において通信用接点４０は８個の接点から構成されているが、本体ユニット１１とレンズユニット１２との間で行われる通信の態様に応じて、適宜の形態として良い。
【００２１】
本体側マウント部１８には、図３に示すように、通信用接点４５、フラッシュ装置用電源接点４６、撮像回路用電源接点４７及びグランド接点４８，４９が設けられている。通信用接点４５、フラッシュ装置用電源接点４６、撮像回路用電源接点４７及びグランド接点４８，４９は、レンズユニット１２が本体ユニット１１に装着されたときに、通信用接点４０、フラッシュ装置用電源接点４１、撮像回路用電源接点４２及びグランド接点４３，４４のそれぞれと当接し、電気的に接続されるように設けられている。なお、図３において通信用接点４５は８個の接点から構成されているが、通信用接点４０と同様に、本体ユニット１１とレンズユニット１２との間で行われる通信の態様に応じて、適宜の形態として良い。
【００２２】
デジタルカメラ１０の構成を示すブロック図を図４に示す。本体ユニット１１には、本体制御部５０を設けてあり、レンズユニット１２には、レンズ制御部５１を設けてある。デジタルカメラ１０は、撮影モードまたは再生モードでは、本体制御部５０がその制御下にレンズ制御部５１をおいて、本体ユニット１１及びレンズユニット１２の各部を制御する。
【００２３】
本体制御部５０には、ＲＯＭ５０ａと、ＲＡＭ５０ｂとを接続してある。ＲＯＭ５０ａには、撮影モードまたは再生モード時に使用する制御プログラムや設定画面を表示させるための情報表示データ等が予め記憶されている。本体制御部５０は、撮影モードまたは再生モード時には、ＲＯＭ５０ａの制御プログラムに基づいて各部の制御を行う。ＲＡＭ５０ｂは、作業用データを一時的に記憶するワークメモリとして用いられる。
【００２４】
レンズ制御部５１には、ＲＯＭ５１ａと、ＲＡＭ５１ｂとを接続してある。ＲＯＭ５１ａには、撮影モードまたは再生モード時に使用する動作プログラムが予め記憶されている。レンズ制御部５１は、撮影モードまたは再生モード時には、本体制御部５０の制御下でＲＯＭ５１ａの動作プログラムに基づいてレンズユニット１２の各部を駆動する。ＲＡＭ５１ｂは、作業用データを一時的に記憶するワークメモリとして用いられる。
【００２５】
レリーズボタン２５、モード操作部２６及びズーム操作部２９はそれぞれ、操作に応じた操作信号を本体制御部５０に送信する。本体制御部５０は、撮影モードまたは再生モードにおいて、操作信号に応答して本体ユニット１１の各部を制御するとともにレンズ制御部５１を介してレンズユニット１２の駆動を制御する。
【００２６】
デジタル信号処理部５５には、バス５６を介してメモリ５７を接続してある。メモリ５７には、レンズユニット１２から取得した画像データが一時的に書き込まれる。デジタル信号処理部５５は、メモリ５７に記憶されている画像データに対して階調変換，ホワイトバランス補正，ガンマ補正などの各種画像処理、ＹＣ変換処理等を施す。
【００２７】
バス５６には、デジタル信号処理部５５，メモリ５７の他に、本体制御部５０，レンズユニット１２と通信するためのシリアルドライバ（通信手段）５８、ＬＣＤドライバ５９及びメディアコントローラ６０等が接続されており、相互間での制御信号，データの授受が可能になっている。シリアルドライバ５８は、通信用接点４０，４５を介してレンズユニット１２のシリアルドライバ（通信手段）６１と通信可能に接続される。
【００２８】
ＬＣＤドライバ５９は、撮影モード下でのスルー画像表示や再生モード時では、入力される画像データに基づいてＬＣＤ２７を駆動することによって画像を表示する。また、撮影モードまたは再生モード下での設定画面等をＬＣＤ２７に表示する際には、ＬＣＤドライバ５９に情報表示データが入力される。
【００２９】
メディアコントローラ６０は、本体ユニット１１に装着される記録メディア６３に対して画像データの読み書きを行う。撮影モードの場合には、レンズユニット１２から取得した画像データが、この記録メディア６３に記録される。再生モードの場合には、記録メディア６３から読み出した画像データをＬＣＤドライバ５９に送ることでＬＣＤ２７に再生表示される。
【００３０】
本体ユニット１１のバッテリ収納室（図示省略）にバッテリ６４が装着され、このバッテリ６４が電源制御部６５に接続される。電源制御部６５は、バッテリ６４の出力電圧を所定の電圧に変圧し、本体ユニット１１及びレンズユニット１２の各部に電力を供給する。電源制御部６５には、電源スイッチ２８を接続してあり、各部への電力の供給と停止とは、電源スイッチ２８のＯＮ／ＯＦＦ操作に応答して制御される。
【００３１】
本体ユニット１１には、電源制御部６５と撮像回路用電源接点４７とを電気的に接続する本体側第１電源ライン７１ａが設けられ、レンズユニット１２には、フラッシュ装置３０の昇圧回路３３を除いた、イメージセンサ１５を含むレンズユニット１２の各部と撮像回路用電源接点４２とを電気的に接続するレンズ側第１電源ライン７１ｂが設けられている。本体ユニット１１にレンズユニット１２が装着されたときには、本体側第１電源ライン７１ａ及びレンズ側第１電源ライン７１ｂは撮像回路用電源接点４２，４７を介して接続され、イメージセンサ１５を含むレンズユニット１２の各部と電源制御部６５とを電気的に接続する第１電源ライン７１を構成する。
【００３２】
本体ユニット１１には、電源制御部６５とフラッシュ装置用電源接点４６とを電気的に接続する本体側第２電源ライン７２ａが設けられ、レンズユニット１２には、昇圧回路３３を介してフラッシュコンデンサ３５とフラッシュ装置用電源接点４１とを電気的に接続するレンズ側第２電源ライン７２ｂが設けられている。本体ユニット１１にレンズユニット１２が装着されたときには、本体側第２電源ライン７２ａ及びレンズ側第２電源ライン７２ｂはフラッシュ装置用電源接点４１，４６を介して接続され、フラッシュコンデンサ３５と電源制御部６５とを電気的に接続する第２電源ライン７２を構成する。
【００３３】
また、図示は省略するが、フラッシュ装置３０のグランドラインはグランド接点４３，４８を介し、フラッシュ装置３０を除いたレンズユニット１２の各部のグランドラインはグランド接点４４，４９を介して、それぞれ電源制御部６５に接続されている。なお、グランドラインは別個とせずに、フラッシュ装置３０を含むレンズユニット１２の各部で共有するようにしても良い。
【００３４】
撮影レンズ１４は、変倍レンズ７５、絞り７６及びフォーカスレンズ７７を有しており、これらはレンズ制御部５１に制御されたレンズ駆動部７８によって駆動される。ズーム操作部２９の操作に応じて変倍レンズ７５が前後に移動することによって、撮影レンズ１４の焦点距離が変化する。フォーカスレンズ７７は、例えば撮影画面の中央部の被写体に撮影レンズ１４のピントが合致するように移動され、絞り７６は、その開口径（絞り値）が変化することにより、イメージセンサ１５に入射する光量を調節する。
【００３５】
撮影レンズ１４とイメージセンサ１５との間に、シャッタ装置７９を配してある。このシャッタ装置７９と、イメージセンサ１５とは、ドライバ８０によって駆動される。イメージセンサ１５は、光電変換により被写体像を電気信号に変換して、アナログの画像信号を出力する。シャッタ装置７９は、撮影モード下では、通常はシャッタ羽根を開いた開き状態にあり、レリーズボタン２５の押下に応答した１画面分の撮影がイメージセンサ１５で行われた直後にシャッタ羽根を閉じた閉じ状態となる。このシャッタ装置７９により、スミアの発生を防止する。
【００３６】
イメージセンサ１５からの画像信号は、信号処理部８１に送られる。信号処理部８１は、バス８２を介してレンズ制御部５１に接続されており、このレンズ制御部５１の制御下で駆動される。信号処理部８１は、撮影モード時には、入力される画像信号に対してノイズの除去，欠陥画素に対応する画像信号の補間処理，増幅処理などを施してから、デジタル変換して画素毎の画像データを出力する。また、信号処理部８１は、画像信号に基づいて被写体像の高周波成分の振幅値であるＡＦ検出値と、被写体輝度を示すＡＥ検出値を発生してレンズ制御部５１に送る。レンズ制御部５１は、被写体にピントを合致させるために、フォーカスレンズ５７を移動してＡＦ検出値が最大となるようにＡＦ処理を行い、ＡＥ検出値に基づいて絞り７６の絞り値やイメージセンサ１５の電子シャッタ速度（電荷蓄積時間）を決定し制御する。
【００３７】
シリアルドライバ５８は、バス５６を介して入力されるパラレル信号をシリアル信号に変換し、シリアルドライバ６１に送信する。また、シリアルドライバ５８は、シリアルドライバ６１から受信したシリアル信号をパラレル信号に変化してバス５６に送出する。シリアルドライバ６１は、バス８２を介して入力されるパラレル信号をシリアル信号に変換し、シリアルドライバ５８に送信する。また、シリアルドライバ６１は、シリアルドライバ５８から受信したシリアル信号をパラレル信号に変化してバス８２に送出する。なお、本体ユニット１１とレンズユニット１２とで行われる通信の態様はこれに限られず、例えば、パラレル信号の授受を行うなど、適宜の態様として良い。
【００３８】
フラッシュ装置３０は、発光部３１、発光制御部３２及び昇圧回路３３から構成されている。発光部３１は、キセノン菅３４、キセノン菅３４から発せられた光を前方に反射させるリフレクタ８５、及び、通過する光を拡散するとともにキセノン菅３４及びリフレクタ８５を外部から保護するプロテクタ８６で構成されている。発光制御部３２は、本体制御部５０からの発光信号に応答して、フラッシュコンデンサ３５に蓄えた電力を用いて発光部３１を発光させる。
【００３９】
昇圧回路３３は、第２電源ライン７２によって電源制御部６５と電気的に接続されている。昇圧回路３３は、発光部３１を発光させる際に、電源制御部６５から印加された１２Ｖの電圧を３００Ｖに昇圧し、フラッシュコンデンサ３５に印加する。このように、昇圧回路３３に印加する電圧は、フラッシュコンデンサ３５に印加する電圧に比して低くすることができるので、本体ユニット１１からレンズユニット１２へ供給する電圧を安全なものとし、フラッシュ装置用電源接点４１，４６を小型化することができる。なお、昇圧回路３３に印加される電圧及びフラッシュコンデンサ３５に印加される電圧は、昇圧回路３３及びフラッシュコンデンサ３５の態様に応じて適宜の値とすれば良い。
【００４０】
このように、バッテリ６４及び電源制御部６５を本体ユニット１１に設け、イメージセンサ１５を含むレンズユニット１２の各部と電源制御部６５とを第１電源ライン７１によって電気的に接続し、フラッシュコンデンサ３５と電源制御部６５とを第２電源ライン７２によって電気的に接続することによって、イメージセンサ１５及びフラッシュコンデンサ３５を内蔵するレンズユニット１２と、電源制御部６５を内蔵する本体ユニットとの接続部を小型化するとともに、イメージセンサ１５への電源供給を安定させることができる。
【００４１】
なお、上記実施形態では、昇圧回路３３をレンズユニット１２に内蔵されたフラッシュ装置３０に設けていたが、これを本体ユニット１１に設けても良い。昇圧回路３３を本体ユニット１１に設けた場合のデジタルカメラ１０の構成を示すブロック図を図５に示す。なお、上記実施形態と同様の機能のものは同一の符合を付し、説明を省略する。
【００４２】
昇圧回路９０は、電源制御部６５から印加された１２Ｖの電圧を３００Ｖに昇圧する。本体ユニット１１には、昇圧回路９０を介して電源制御部６５とフラッシュ装置用電源接点４６とを電気的に接続する本体側第２電源ライン９２ａが設けられ、レンズユニット１２には、フラッシュコンデンサ３５とフラッシュ装置用電源接点４１とを電気的に接続するレンズ側第２電源ライン９２ｂが設けられている。本体側第２電源ライン９２ａ及びレンズ側第２電源ライン９２ｂはフラッシュ装置用電源接点４１，４６を介して接続され、フラッシュコンデンサ３５と電源制御部６５とを電気的に接続する第２電源ライン９２を構成する。レンズ側第２電源ライン９２ｂは、昇圧回路９０によって昇圧された３００Ｖの電圧の電源をフラッシュコンデンサ３５に供給する。このようにすることで、レンズユニット１２に昇圧回路９０を設けずに、レンズユニット１２を小型軽量化することができる。また、昇圧回路９０からフラッシュコンデンサ３５に供給される電圧は３００Ｖと高いが、供給電流を小さくすることで、フラッシュ装置用電源接点４１，４６を小型化することができる。
【００４３】
なお、上記実施形態では、本体ユニット１１からレンズユニット１２へ電源を供給する電源ラインを２つ設けていたが、電源ラインは２つに限られず、例えば、イメージセンサ１５を含むレンズユニット１２の各部毎に異なる電源ラインによって電源制御部６５と電気的に接続するようにしても良い。
【００４４】
上記実施形態では、本体ユニット１１とレンズユニット１２とをバヨネットマウントによって接続していたが、本体ユニット１１とレンズユニット１２との接続方法はこれに限られず、また、通信用接点４０，４５、フラッシュ装置用電源接点４１，４６、撮像回路用電源接点４２，４７、及び、グランド接点４３，４４，４８，４９は、本体ユニット１１とレンズユニット１２との接続方法に応じて適宜の配置及び形態とすれば良い。
【図面の簡単な説明】
【００４５】
【図１】本発明を実施したデジタルカメラの外観を示す斜視図である。
【図２】レンズ側マウント部の外観を示す背面図である。
【図３】本体側マウント部の外観を示す正面図ある。
【図４】デジタルカメラの電気的構成を示すブロック図である。
【図５】図４と実施形態の異なるデジタルカメラの電気的構成を示すブロック図である。
【符号の説明】
【００４６】
１０  デジタルカメラ
１１  本体ユニット
１２  レンズユニット
１４  撮影レンズ
１５  イメージセンサ（撮像素子）
３０  フラッシュ装置
３１  発光部
３３，９０  昇圧回路
３５  フラッシュコンデンサ
４１，４６  フラッシュ装置用電源接点
４２，４７  撮像回路用電源接点
５８，６１  シリアルドライバ（通信手段）
６４  バッテリ
６５  電源制御部
７１  第１電源ライン
７２，９１  第２電源ライン
【図１】
2007324815.tif 000003
【図２】
2007324815.tif 000004
【図３】
2007324815.tif 000005
【図４】
2007324815.tif 000006
【図５】
2007324815.tif 000007